(57)【特許請求の範囲】
【請求項１】
入力された指紋情報からその特徴データを抽出して登録する第１記憶手段と、新たに入力された指紋情報から抽出された特徴データと上記登録された特徴データを比較し両者が一致するかを判定する照合手段とを持つ指紋照合端末器と、上記一致と判定された判定結果を受信すると、特定の制御を許可する制御手段を持つホスト装置からなる指紋照合装置において、上記登録された特徴データを上記ホスト装置にアップロードするアップロード手段と、上記アップロードされた特徴データを記憶する第２記憶手段と、指紋データ照合時、上記第１記憶手段に登録された特徴データの登録件数を上記ホスト装置に通知する通信回路と、上記通知された特徴データの登録件数と上記第２記憶手段に記憶された特徴データの登録件数とを比較する比較手段と、この比較結果が不一致のとき上記判定結果を無効とし、上記第２記憶手段に記憶された特徴データを上記指紋照合端末器にダウンロードするダウンロード手段とを備えたことを特徴とする指紋照合装置。
【請求項２】
入力された指紋情報からその特徴データを抽出して登録する第１記憶手段と、新たに入力された指紋情報から抽出された特徴データと上記登録された特徴データを比較し両者が一致するかを判定する照合手段とを持つ指紋照合端末器と、上記一致と判定された判定結果を受信すると、特定の制御を許可する制御手段を持つホスト装置からなる指紋照合装置において、上記登録された特徴データを上記ホスト装置にアップロードするアップロード手段と、上記アップロードされた特徴データを記憶する第２記憶手段と、指紋データ照合時、上記第１記憶手段に登録された特徴データを上記ホスト装置に通知する通信回路と、上記通知された特徴データと上記第２記憶手段に記憶された特徴データとを比較する比較手段と、この比較結果が不一致のとき上記判定結果を無効とし、上記第２記憶手段に記憶された特徴データを上記指紋照合端末器にダウンロードするダウンロード手段とを備えたことを特徴とする指紋照合装置。
【発明の詳細な説明】
【０００１】
【発明の属する技術分野】
この発明は、出入管理時やコンピュータ操作者認証時における、個人識別に利用する指紋照合装置に関するものである。
【０００２】
【従来の技術】
建物内の特定区域へは関係者以外の立入りを禁止するため、特定区域への通路又は出入口に電気錠によって開閉される扉を設け、この扉の近傍に特定区域への通行を許可された者か否かを識別する指紋照合装置を設置することが実施されている。また、コンピュータのログオン（使用開始の手続き）を許可するか否かを識別する用途にも、指紋照合装置を設置することが実施されている。
【０００３】
図２は従来の指紋照合装置を示すブロック線図である。
指紋情報登録時、指紋照合端末器１の指紋情報入力回路２に指が置かれると、指紋の特徴データが抽出され、抽出特徴データ信号２ａが第１記憶手段３に記憶（登録）される。
指紋データ照合時、照合すべき指が指紋情報入力回路２に置かれると、同様に特徴データが抽出され、登録された特徴データを検索して、登録特徴データ信号３ａが出力される。
【０００４】
照合手段４で両データ信号２ａ，３ａを照合し、一致するか否かを判定して、判定結果信号４ａを通信回路５を介してホスト装置６に通知する。ホスト装置６は判定結果信号４ａを受信して、判定結果信号７ａとし、それが一致であれば、制御手段１５の出力である制御信号１５ａを有為にして、扉の解錠などの機能を有効にする。
【０００５】
近年、指紋照合端末器１の小形化が進み、ホスト装置６から切り放して容易に持ち運べるようになっている。このため、指紋照合端末器１で指紋データを登録し、これを別のホスト装置に接続することで、このホスト装置側の制御機能を不正に有効にすることが可能となる。そこで、これを防止するため、指紋照合端末器１ごとに、固有のＩＤ（識別）コードを付与し、ホスト装置６側でそのコードをチェックするようにしている。
【０００６】
【発明が解決しようとする課題】
上記のような従来の指紋照合装置では、指紋照合端末器１ごとにＩＤコードを付与して、不正操作を防止するようにしているが、指紋照合端末器１の故障などで、指紋照合端末器１を交換するときは、ＩＤコードの変更や登録済みの特徴データの再生が必要で、膨大な作業が必要となる等の問題点がある。
【０００７】
この発明は上記問題点を解消するためになされたもので、指紋照合端末器の交換時には、容易に特徴データを更新できるようにした指紋照合装置を提供することを目的とする。
【０００８】
【課題を解決するための手段】
この発明の第１発明に係る指紋照合装置は、指紋照合端末器の第１記憶手段に登録された特徴データをホスト装置にアップロードし、このアップロードされた特徴データを第２記憶手段に記憶し、指紋データ照合時、第１記憶手段に登録された特徴データの登録件数をホスト装置に通知し、この特徴データの登録件数と第２記憶手段に記憶された特徴データの登録件数とを比較し、この比較結果が不一致のとき指紋照合判定結果を無効とし、第２記憶手段に記憶された特徴データを指紋照合端末器にダウンロードするようにしたものである。
【０００９】
また、第２発明に係る指紋照合装置は、指紋照合端末器の第１記憶手段に登録された特徴データをホスト装置にアップロードし、このアップロードされた特徴データを第２記憶手段に記憶し、指紋データ照合時、第１記憶手段に登録された特徴データをホスト装置に通知し、この特徴データと第２記憶手段に記憶された特徴データとを比較し、この比較結果が不一致のとき指紋照合判定結果を無効とし、第２記憶手段に記憶された特徴データを指紋照合端末器にダウンロードするようにしたものである。
【００１１】
【発明の実施の形態】
実施の形態１．
図１はこの発明の第１発明の一実施の形態を示すブロック線図である。図において、１は指紋照合端末器、２は指が置かれると指紋の特徴点データを抽出する指紋情報入力回路、２ａはその出力である抽出特徴データ信号、３は指紋情報入力回路２に接続された第１記憶手段（アップロード手段を兼用）、３ａはその出力である登録特徴データ信号、３ｂは同じくアップロード特徴データ信号、３ｃは同じく登録情報を構成する登録件数信号である。
【００１２】
４は指紋情報入力回路２及び第１記憶手段３に接続された照合手段、４ａはその出力である判定結果信号、５は第１記憶手段３及び照合手段４に接続された通信回路、５ａはその出力であるダウンロード特徴データ信号、６はホスト装置、７は通信回路５と通信路８を介して接続された通信回路、７ａはその出力である判定結果信号、７ｂは同じく登録件数信号、７ｃは同じくアップロード特徴データ信号である。
【００１３】
９は通信回路７に接続された比較手段、９ａはその出力である件数不一致信号、１０は通信回路７及び比較手段９に接続された第２記憶手段（ダウンロード手段を兼用）、１０ａはその出力である登録件数信号、１０ｂは同じくダウンロード特徴データ信号、１１は通信回路７及び比較手段９に接続されたＡＮＤ回路、１１ａはその出力である機能有効信号、１２はＡＮＤ回路１１に接続されコンピュータ（図示しない）のログオン（使用開始の手続き）を許可する制御手段を構成するログオン起動回路である。
【００１４】
次に、この実施の形態の動作を説明する。
Ａ  指紋情報登録時の動作
指紋照合端末器１の指紋情報入力回路２に指が置かれると、指紋の特徴点データが抽出され、抽出特徴データ信号２ａが出力され、第１記憶手段３に記憶（登録）される。第１記憶手段３は登録による内容の変化を検出し、その特徴データをアップロード特徴データ信号３ｂとして、通信回路５及び通信路８を介してホスト装置６へ送信する。通信回路７はアップロード特徴データ信号３ｂを受信して、アップロード特徴データ７ｃを出力し、第２記憶手段１０に記憶される。これで第１及び第２記憶手段３，１０は、常に同じ内容に保たれる。
【００１５】
Ｂ  指紋データ照合時の動作
指紋情報入力回路２に指が置かれると、指紋の特徴点データが抽出され、抽出特徴データ信号２ａが照合手段４に入力される。同時に、第１記憶手段３から登録特徴データが検索されて、照合手段４に入力される。照合手段４は両データ信号２ａ，３ａを照合し、両者が一致すれば、判定結果信号４ａを出力し、通信回路５及び通信路８を介してホスト装置６へ通知する。
【００１６】
同時に、第１記憶手段３はその時点で記憶している登録特徴データの件数を登録件数信号３ｃとして、通信回路５及び通信路８を介してホスト装置６へ通知する。通信回路７は判定結果信号４ａを受信して、判定結果信号７ａを出力し、ＡＮＤ回路１１の一方の入力を有意にする。同時に、通信回路７は登録件数信号３ｃを受信して、登録件数信号７ｂを出力し、比較手段９へ入力する。
【００１７】
第２記憶手段１０は、その時点で記憶している登録特徴データの件数を、登録件数信号１０ａとして比較回路９へ入力する。比較手段９は登録件数信号７ｂ，１０ａを比較し、不一致の場合に件数不一致信号９ａをＡＮＤ回路１１へ入力する。通常は、第１及び第２記憶手段３，１０は常に同じ内容に保たれるため、登録件数は一致する。これで、件数不一致信号９ａは出力されず、ＡＮＤ回路１１の条件が成立し、機能有効信号１１ａが出力され、ログオン起動回路１２が作動し、コンピュータにログオンすることが許可される。
【００１８】
Ｃ  指紋照合端末器１交換時の動作
指紋情報登録後、指紋照合端末器１が交換されると、第１記憶手段３と第２記憶手段１０の内容が一致せず、登録件数が不一致となる。したがって、比較手段９は件数不一致信号９ａを出力し、ＡＮＤ回路１１の他方の入力が無意となり、機能有効信号１１ａは出力されなくなる。これで、ログオン起動回路１２は不動作となり、コンピュータにログオンすることは不許可となる。
【００１９】
更に、比較手段９は件数不一致信号９ａを第２記憶手段１０へ入力し、第２記憶手段１０はその時点で記憶しているすべての特徴データをダウンロード特徴データ信号１０ｂとして出力する。通信回路７はこれを通信路８を介して指紋照合端末器１へ送信する。通信回路５はダウンロード特徴データ信号１０ｂを受信して、ダウンロード特徴データ信号５ａを出力し、新たに第１記憶手段３に記憶させる。これで、第１及び第２記憶手段３，１０の内容は同じになる。すなわち、第１記憶手段３には指紋照合端末器１が交換される前の操作者の指紋情報が登録された状態となる。
【００２０】
このようにして、指紋の登録情報として、登録件数を指紋照合端末器１及びホスト装置６の両者で記憶し、照合時に両者の登録件数の一致をチェックし、かつ特徴データをダウンロードするようにしたため、指紋照合端末器１の交換時には、容易に特徴データを更新することが可能となる。
【００２５】
【発明の効果】
以上説明したとおりこの発明の第１発明では、指紋照合端末器の第１記憶手段に登録された特徴データをホスト装置にアップロードし、これを第２記憶手段に記憶し、指紋データ照合時、第１記憶手段に登録された特徴データの登録件数をホスト装置に通知し、この特徴データの登録件数と第２記憶手段に記憶された特徴データの登録件数とを比較し、この比較結果が不一致のとき指紋データ照合の判定結果を無効とし、第２記憶手段に記憶された特徴データを指紋照合端末器にダウンロードするようにしたので、指紋照合端末器の交換時には、容易に特徴データを更新することができる。
【００２６】
また、第２発明では、指紋照合端末器の第１記憶手段に登録された特徴データをホスト装置にアップロードし、これを第２記憶手段に記憶し、指紋データ照合時、第１記憶手段に登録された特徴データをホスト装置に通知し、この特徴データと第２記憶手段に記憶された特徴データとを比較し、この比較結果が不一致のとき指紋データ照合の判定結果を無効とし、第２記憶手段に記憶された特徴データを指紋照合端末器にダウンロードするようにしたので、指紋照合端末器の交換時には、容易に特徴データを更新することができる。
【図面の簡単な説明】
【図１】  この発明の実施の形態１を示すブロック線図である。
【図２】  従来の指紋照合装置を示すブロック線図である。
【符号の説明】
１  指紋照合端末器、２  指紋情報入力回路、２ａ  抽出特徴データ信号、３  第１記憶手段、３ａ  登録特徴データ信号、  ３ｂ  アップロード特徴データ信号、３ｃ  登録件数信号、４  照合手段、４ａ  判定結果信号、５  通信回路、５ａ  ダウンロード特徴データ信号、６  ホスト装置、７  通信回路、７ａ  判定結果信号、７ｂ  登録件数信号、７ｃ  アップロード特徴データ信号、８  通信路、９  比較手段、９ａ  件数不一致信号、１０  第２記憶手段、１０ａ  登録件数信号、１０ｂ  ダウンロード特徴データ信号、１１  ＡＮＤ回路、１１ａ  機能有効信号、１２  制御手段（ログオン起動回路）
【図１】
0004010683.tif 000002
【図２】
0004010683.tif 000003